(57)【特許請求の範囲】
【請求項１】
光源モジュールと組み合わせて使用されるランプホルダーであって、
マウンティングと、電源コードと、ワイヤ巻き取り機構とを備え、前記マウンティングに取り付け溝が開設され、前記取り付け溝の溝底には、外部に貫通して前記電源コードを通す線通過用穴が開設され、前記電源コードの両端はそれぞれ、前記マウンティングに固定されたワイヤ固定端、および前記取り付け溝に配置されたワイヤ可動端であり、前記ワイヤ可動端は、初期位置から作業位置に移動可能であり、前記ワイヤ巻き取り機構は、ワイヤ巻き取り弾性部材と、前記ワイヤ巻き取り弾性部材を前記マウンティングに接続するためのワイヤ巻き取り接続部材とを含み、前記ワイヤ巻き取り弾性部材は、前記取り付け溝の外に配置され、その弾性復元力によって前記ワイヤ可動端を前記作業位置から前記初期位置に復帰させることが可能であり、
前記ワイヤ巻き取り弾性部材は、長軸方向を中心とした環状の圧縮ばねであり、前記電源コードに嵌着して設けられ、前記ワイヤ巻き取り機構は、対向して設けられた第１のワイヤ巻き取り端部と第２のワイヤ巻き取り端部を有し、前記第１のワイヤ巻き取り端部は前記マウンティングに当接し、前記第２のワイヤ巻き取り端部は前記電源コードに対して互いに静止して設けられ、
前記ワイヤ巻き取り接続部材は、両方とも前記マウンティングに接続された第１の制限部材および第２の制限部材を含み、前記第１の制限部材には、前記電源コードを通す第１の制限穴が開設され、前記第２の制限部材には、前記電源コードを通す第２の制限穴が開設され、前記第１の制限穴のアパーチャおよび前記第２の制限穴のアパーチャは、いずれも前記ワイヤ巻き取り弾性部材の外環径よりも小さく、前記第１のワイヤ巻き取り端部は前記第１の制限部材に弾性的に当接し、前記第２のワイヤ巻き取り端部は前記第２の制限部材に弾性的に当接し、または、
前記ワイヤ巻き取り接続部材は、前記マウンティングに接続された第１のギア部材および前記電源コードに固着的に接続された固定部材を含み、前記第１のギア部材には、前記電源コードを通す第１のギア穴が開設され、前記第１のギア穴のアパーチャは、前記ワイヤ巻き取り弾性部材の外環径よりも小さく、前記第１のワイヤ巻き取り端部は前記第１のギア部材に弾性的に当接し、前記第２のワイヤ巻き取り端部は前記固定部材に固着的に接続されることを特徴とするランプホルダー。
【請求項２】
前記ワイヤ巻き取り接続部材が前記第１のギア部材および固定部材を含む場合、前記ワイヤ巻き取り接続部材は、第２のギア部材をさらに含み、前記第２のギア部材には、前記電源コードを通す第２のギア穴が開設され、前記第２のギア穴のアパーチャは、前記ワイヤ巻き取り弾性部材の外環径よりも小さいことを特徴とする請求項１に記載のランプホルダー。
【請求項３】
前記ワイヤ巻き取り接続部材は、前記マウンティングに接続されたワイヤ巻き取りハウジングをさらに含み、前記ワイヤ巻き取りハウジングには、前記ワイヤ巻き取り弾性部材を収容するための収容室が開設され、前記ワイヤ巻き取りハウジングの内壁面は開口壁面を含み、前記ワイヤ巻き取りハウジングは、前記開口壁面に前記電源コードを通す線通過用穴が開設されることを特徴とする請求項１または２に記載のランプホルダー。
【請求項４】
前記ワイヤ巻き取りハウジングの内壁面は、対向して設けられた第１の壁面および第２の壁面をさらに含み、前記第１の壁面と前記第２の壁面との間の間隔は、前記ワイヤ巻き取り弾性部材の外環径に等しいことを特徴とする請求項３に記載のランプホルダー。
【請求項５】
前記第１の壁面および前記第２の壁面は、両方とも前記開口壁面に対して垂直であることを特徴とする請求項４に記載のランプホルダー。
【請求項６】
前記マウンティングは、前記取り付け溝の溝底に少なくとも２つの係合溝が開設され、各前記係合溝は互いにずれて配置され、各前記係合溝の配置経路は同じ円の円弧経路であり、各前記係合溝はいずれも時計回りまたは反時計回りに第１の溝セグメントと第２の溝セグメントに順次分割され、前記マウンティングは、前記第２の溝セグメントの両側の溝壁に係合ストリップが突設されることを特徴とする請求項１〜５のいずれか一項に記載ランプホルダー。
【請求項７】
２つの前記係合溝は、前記線通過用穴を中心点に対称的に設けられることを特徴とする
請求項６に記載のランプホルダー。
【請求項８】
請求項１〜７のいずれか一項に記載のランプホルダーと、前記ランプホルダーのマウンティング内に設けられた光源モジュールとを含むことを特徴とするダウンライト。
【発明の詳細な説明】
【技術分野】
【０００１】
本発明は、照明の技術分野に属し、特にランプホルダーおよびダウンライトに関する。
【背景技術】
【０００２】
ダウンライトは、光源モジュールおよびランプホルダーを備え、ランプホルダーはマウンティングおよび電源コードを備え、マウンティングには取り付け溝が開設され、マウンティングは、取り付け溝の溝底に外部に貫通して電源コードを通す線通過用穴が開設され、電源コードの両端はそれぞれ、マウンティングに固定されたワイヤ固定端、および取り付け溝に配置され、光源モジュールに電気的に接続されるためのワイヤ可動端である。光源モジュールの取り付けまたは交換を行う場合、作業者は、まずワイヤ可動端を取り付け溝のノッチの開口方向に向かって引っ張る必要があり、これにより、作業者は、ワイヤ可動端を光源モジュールに電気的に接続してから、光源モジュールを取り付け溝に配置することが便利であり、ここで、ワイヤ可動端を取り付け溝のノッチの開口方向に向かって引っ張る過程で、電源コードの一部が取り付け溝内に引っ張られ、線通過用穴からはみ出るが、この部分の電源コードが自動的に復帰できないため、電源コードにおける線通過用穴からはみ出ている部分のセグメントは、取り付け溝内において撚り合わされる危険があり、しかも、作業者は、電源コードの電源を切るのを忘れた場合、光源モジュールの取り付けまたは交換時に、ワイヤ可動端との接触により、感電する危険性がある。
【発明の概要】
【発明が解決しようとする課題】
【０００３】
本発明は、上述の従来技術の欠陥を克服することを目的とする。
【課題を解決するための手段】
【０００４】
一態様で、本発明は、光源モジュールの取り付けまたは交換時に電源コードにおける線通過用穴からはみ出ている部分のセグメントは取り付け溝内において撚り合わされる危険性があるという問題を解決しようとするランプホルダーを提供し、本発明は以下のように実現される。
【０００５】
光源モジュールと組み合わせて使用されるためのランプホルダーであって、マウンティングと、電源コードと、ワイヤ巻き取り機構とを備え、前記マウンティングに取り付け溝が開設され、前記取り付け溝の溝底には、外部に貫通して前記電源コードを通す線通過用穴が開設され、前記電源コードの両端はそれぞれ、前記マウンティングに固定されたワイヤ固定端、および前記取り付け溝に配置されたワイヤ可動端であり、前記ワイヤ可動端は、初期位置から作業位置に移動可能であり、前記ワイヤ巻き取り機構は、ワイヤ巻き取り弾性部材と、前記ワイヤ巻き取り弾性部材を前記マウンティングに接続するためのワイヤ巻き取り接続部材とを含み、前記ワイヤ巻き取り弾性部材は、前記取り付け溝の外に配置され、その弾性復元力によって前記ワイヤ可動端を前記作業位置から前記初期位置に復帰させることが可能である。
【０００６】
選択的に、前記ワイヤ巻き取り弾性部材は圧縮ばねであり、前記電源コードに嵌着して設けられ、前記ワイヤ巻き取り機構は、対向して設けられた第１のワイヤ巻き取り端部と第２のワイヤ巻き取り端部を有し、前記第１のワイヤ巻き取り端部は前記マウンティングに当接し、前記第２のワイヤ巻き取り端部は前記電源コードに対して互いに静止して設けられる。
【０００７】
選択的に、前記ワイヤ巻き取り接続部材は、両方とも前記マウンティングに接続された第１の制限部材および第２の制限部材を含み、前記第１の制限部材には、前記電源コードを通す第１の制限穴が開設され、前記第２の制限部材には、前記電源コードを通す第２の制限穴が開設され、前記第１の制限穴のアパーチャおよび前記第２の制限穴のアパーチャは、いずれも前記ワイヤ巻き取り弾性部材の外環径よりも小さく、前記第１のワイヤ巻き取り端部は前記第１の制限部材に弾性的に当接し、前記第２のワイヤ巻き取り端部は前記第２の制限部材に弾性的に当接する。または、前記ワイヤ巻き取り接続部材は、前記マウンティングに接続された第１のギア部材と、前記電源コードに固着的に接続された固定部材とを含み、前記第１のギア部材には、前記電源コードを通す第１のギア穴が開設され、前記第１のギア穴のアパーチャは、前記ワイヤ巻き取り弾性部材の外環径よりも小さく、前記第１のワイヤ巻き取り端部は前記第１のギア部材弾性に当接し、前記第２のワイヤ巻き取り端部は前記固定部材に固着的に接続される。
【０００８】
選択的に、前記ワイヤ巻き取り接続部材が前記第１のギア部材および固定部材を含む場合、前記ワイヤ巻き取り接続部材は、第２のギア部材をさらに含み、前記第２のギア部材には、前記電源コードを通す第２のギア穴が開設され、前記第２のギア穴のアパーチャは、前記ワイヤ巻き取り弾性部材の外環径よりも小さい。
【０００９】
選択的に、前記ワイヤ巻き取り接続部材は、前記マウンティングに接続されたワイヤ巻き取りハウジングをさらに含み、前記ワイヤ巻き取りハウジングには、前記ワイヤ巻き取り弾性部材を収容するための収容室が開設され、前記ワイヤ巻き取りハウジングの内壁面は開口壁面を含み、前記ワイヤ巻き取りハウジングは、前記開口壁面に前記電源コードを通す線通過用穴が開設される。
【００１０】
選択的に、前記ワイヤ巻き取りハウジングの内壁面は、対向して設けられた第１の壁面および第２の壁面をさらに含み、前記第１の壁面と前記第２の壁面との間の間隔は、前記ワイヤ巻き取り弾性部材の外環径に等しい。
選択的に、前記第１の壁面および前記第２の壁面は、両方とも前記開口壁面に対して垂直である。
【００１１】
選択的に、前記マウンティングは、前記取り付け溝の溝底に少なくとも２つの係合溝が開設され、各前記係合溝は互いにずれて設置され、各前記係合溝の配置経路は同じ円の円弧経路であり、各前記係合溝はいずれも時計回りまたは反時計回りに第１の溝セグメントと第２の溝セグメントに順次分割され、前記マウンティングは、前記第２の溝セグメントの両側の溝壁に係合ストリップが突設される。
選択的に、２つの前記係合溝は、前記線通過用穴を中心点に対称的に設けられる。
【００１２】
本発明は、上記ランプホルダーと、前記ランプホルダーのマウンティング内に設けられた光源モジュールとを含むダウンライトをさらに提供する。
光源モジュールを取り付け溝に取り付ける過程において、電源コードはワイヤ巻き取り弾性部材の作用下で、電源コードにおける線通過用穴からはみ出ている部分のセグメントは、線通過用穴から復帰され、電源コードにおける線通過用穴からはみ出ている部分のセグメントが取り付け溝内に留まることを回避し、それによって、電源コードにおける線通過用穴からはみ出ている部分のセグメントがねじって切ったり、保護層が破損したりして、短絡または感電を引き起こす危険性を回避し、製品の安全性能を向上させる。
【００１３】
他の態様で、本発明は、光源モジュールの取り付けまたは交換時に、作業者がワイヤ可動端との接触により感電する危険性があるという問題を解決しようとするランプホルダーを提供し、以下のように実現される。
光源モジュールと組み合わせて使用されるためのランプホルダーであって、マウンティングと、電源コードと、ストロークスイッチとを備え、前記マウンティングに取り付け溝が開設され、前記取り付け溝の溝底には、外部に貫通して前記電源コードを通す線通過用穴が開設され、前記電源コードの両端はそれぞれ、ワイヤ固定端および前記取り付け溝に配置されたワイヤ可動端であり、前記電源コードは、第１の導電線、第２の導電線および第３の導電線を含み、前記第１の導電線の一端は前記第２の導電線の一端と共に前記ワイヤ可動端を構成し、前記第２の導電線の他端と前記第３の導電線の一端はいずれも前記ストロークスイッチに電気的に接続するために使用され、前記第１の導電線の他端は前記第３の導電線の他端と共に前記ワイヤ固定端を構成し、前記ストロークスイッチは、前記マウンティングに取り付けられ、前記光源モジュールが前記取り付け溝に装着される時に前記光源モジュールによってトリガーされる。
【００１４】
選択的に、前記ストロークスイッチは、前記光源モジュールと前記取り付け溝の溝底との間の間隔が通電の間隔以下である場合、前記光源モジュールによってトリガーされることができ、前記光源モジュールと前記取り付け溝の溝底との間の間隔が前記通電の間隔よりも大きい場合、トリガーが解放され、前記通電の間隔は前記取り付け溝の深さよりも小さくなる。
【００１５】
選択的に、前記ランプホルダーは、光源端電気コネクタをさらに含み、前記光源端電気コネクタは前記ワイヤ可動端に電気的に接続され、前記光源端電気コネクタは前記光源モジュールと嵌合することができ、しかも前記光源モジュールと嵌合された時に前記光源モジュールとの電気的接続が実現される；および／または
【００１６】
前記ランプホルダーは、電源端電気コネクタをさらに含み、前記電源端電気コネクタは前記ワイヤ固定端に電気的に接続され、前記電源端電気コネクタは外部電源と嵌合することができ、しかも外部電源と嵌合された時に、外部電源との電気的接続が実現される。
選択的に、前記第１の導電線は、螺旋経路に沿って配置され、弾性を有し、前記光源モジュールと電気的に接続するための第１の螺旋セグメントを有する。
前記第２の導電線は、螺旋経路に沿って配置され、弾性を有し、前記光源モジュールと電気的に接続するための第２の螺旋セグメントを有する。
【００１７】
そのうち、前記第１の螺旋セグメントの弾性復元力および前記第２の螺旋セグメントの弾性復元力は、共に前記光源モジュールを前記取り付け溝の外部から前記光源モジュールの少なくとも一部が前記取り付け溝に挿入されるまで移動させることができる。
選択的に、前記第１の螺旋セグメントの弾性復元力および前記第２の螺旋セグメントの弾性復元力は、共に前記光源モジュールを前記取り付け溝の外部から前記光源モジュールが溝底に当接するまで移動させることができる。
選択的に、前記ランプホルダーは、前記取り付け溝のノッチリムから外向きに延び、徐々に拡大して設けられるランプシェードをさらに含む。
選択的に、前記マウンティングは前記ランプシェードと一体に構成される。
【００１８】
選択的に、前記マウンティングは、前記取り付け溝の溝底に少なくとも２つの係合溝が開設され、各前記係合溝は互いにずれて配置され、各前記係合溝の配置経路は同じ円の円弧経路であり、各前記係合溝はいずれも時計回りまたは反時計回りに第１の溝セグメントと第２の溝セグメントに順次分割され、前記マウンティングは、前記第２の溝セグメントの両側の溝壁に係合ストリップが突設される。
選択的に、２つの前記係合溝は、前記線通過用穴を中心点に対称的に設けられる。
【００１９】
本発明は、上記ランプホルダーと、前記ランプホルダーのマウンティング内に設けられた光源モジュールとを含むダウンライトをさらに提供する。
光源モジュールの取り付けまたは交換の過程において、
まず、ワイヤ可動端に引っ張り外力が加えられ、ワイヤ可動端を初期位置から作業位置に移動させる。
次に、作業者は、ワイヤ可動端を手動で光源モジュールに電気的に接続し、この時、光源モジュールはまだ取り付け溝に組み立てられておらず、ストロークスイッチはトリガーされず、第２の導電線と第３の導電線は電気的に接続されず、作業者がワイヤ可動端との接触により感電するのを防ぐ。
最後に、引っ張り外力を解除し、光源モジュールを取り付け溝に取り付ける。
【発明の効果】
【００２０】
以上から分かるように、本発明の構造設計によれば、光源モジュールの取り付けまたは交換の過程において、主電源がオフされていない場合でも、作業者は通電状態で作業する必要がなく、ワイヤ可動端との接触により感電するのを防ぐことができ、製品の安全性能を向上させ、本発明は、構造が簡単で、操作しやすい。
【図面の簡単な説明】
【００２１】
本発明の実施例における技術的解決手段をより明確に説明するために、以下、実施例の説明で使用される図面を簡単に紹介する。当然のことながら、以下の説明における図面は、本発明のいくつかの実施例に過ぎず、当業者であれば、創造的な労働を要することなく、これらの図面に基づく他の図面を得ることができる。
【００２２】
【図１】本発明の一態様の実施例一によるランプホルダーの第１の視点からの構造を示す斜視模式図であり、そのうち、電源コードの一部のみが示され、ワイヤ巻き取りハウジングの一部のみが示される。
【図２】本発明の一態様の実施例一によるランプホルダーの第２の視点からの構造を示す斜視模式図である。
【図３】本発明の一態様の実施例一によるランプホルダーの第３の視点からの構造を示す斜視模式図である。
【図４】本発明の一態様の実施例一によるランプホルダーの斜視断面図であり、そのうち、電源コードの一部のみが示される。
【図５】本発明の一態様の実施例一によるランプホルダーの原理を示す模式図であり、そのうち、電源コードおよびワイヤ巻き取り弾性部材の実線部分は、ワイヤ可動端が引っ張り外力を受けていない状態を示し、電源コードおよびワイヤ巻き取り弾性部材の点線部分は、ワイヤ可動端が引っ張り外力を受けた状態を示す。
【図６】本発明の実施例によるランプホルダーの第３の視点からの構造を示す斜視模式図である。
【図７】図６のＡにおける構造を示す拡大模式図である。
【図８】本発明の実施例によるランプホルダーに適合した光源モジュールである。
【図９】本発明の一態様の実施例二によるランプホルダーの原理を示す模式図であり、そのうち、電源コードおよびワイヤ巻き取り弾性部材の実線部分は、ワイヤ可動端が外力によって引っ張られる前の状態を示し、電源コードおよびワイヤ巻き取り弾性部材の点線部分は、ワイヤ可動端が外力によって引っ張られた後の状態を示す。
【図１０】本発明の別の態様の実施例によるランプホルダーの第１の視点からの構造を示す斜視模式図である。
【図１１】本発明の別の態様の実施例によるランプホルダーの第２の視点からの構造を示す斜視模式図である。
【図１２】本発明の別の態様の実施例によるランプホルダーの第３の視点からの構造を示す斜視模式図である。
【図１３】本発明の別の態様の実施例によるランプホルダーの原理を示す模式図である。
【発明を実施するための形態】
【００２３】
本発明の目的、技術的解決手段および利点をより明らかにするために、以下、図面および実施例に合わせて本発明をより詳細に説明する。ここで説明される具体的な実施例は本発明を解釈するためのものに過ぎず、本発明を限定するためのものではないことを理解すべきである。
【００２４】
本発明の一態様
実施例一
本発明の一態様の実施例は、光源モジュール２００と組み合わせて使用されるランプホルダーを提供し、そのうち、光源モジュール２００は主にＬＥＤチップを使用して発光する。
図１乃至図５を参照し、当該ランプホルダー１００は、マウンティング１１０と、電源コード１２０と、ワイヤ巻き取り機構１３０とを備える。
【００２５】
具体的には、マウンティング１１０に取り付け溝１１０１が開設され、マウンティング１１０は、取り付け溝１１０１の溝底には、外部に貫通して電源コード１２０を通す線通過用穴１１０２が開設される。ここで説明すべきこととして、まず、マウンティング１１０は、プラスチック材料で作られてもよいし、アルミニウム材のような金属材料で作られてもよく、次に、取り付け溝１１０１の溝室は、光源モジュール２００の全体形状に一致することができ、こうして、光源モジュール２００を取り付け溝１１０１に取り付けた後、光源モジュール２００のサイドシフトを制限するための追加の構造が不要となる。
【００２６】
電源コード１２０の両端はそれぞれ、マウンティング１１０に固定されたワイヤ固定端１２１、および取り付け溝１１０１に配置されたワイヤ可動端１２２であり、ワイヤ可動端１２２は、光源モジュール２００と電気的に接続するために使用され、ワイヤ可動端１２２は、初期位置から作業位置に移動することができ、具体的には、取り付け溝１１０１のノッチの開設方向に引っ張られた引っ張り外力を受けた時に、初期位置から作業位置に移動でき、ワイヤ可動端１２２は作業位置にあると、作業者によってそれを光源モジュール２００に電気的に接続する。ここで説明すべきこととして、まず、電源コード１２０は通常、並列に配置された２本の電気伝導線を少なくとも含み、そのうち、一方の電気伝導線は正極に接続され、他方の電気伝導線は負極に接続され、次に、ワイヤ可動端１２２には、光源モジュール２００と嵌合でき、嵌合された状態で光源モジュール２００に電気的に接続された電気コネクタが接続されてもよく、こうして、電源コード１２０との間の装着効率を向上させるのに有利である。
【００２７】
ワイヤ巻き取り機構１３０は、ワイヤ巻き取り弾性部材１３１、およびワイヤ巻き取り弾性部材１３１をマウンティング１１０に接続するためのワイヤ巻き取り接続部材１３２を含み、ワイヤ巻き取り弾性部材１３１は、取り付け溝１１０１外に配置され、ワイヤ巻き取り弾性部材１３１の弾性復元力によってワイヤ可動端１２２を作業位置から初期位置に復帰させることができ、具体的には、ワイヤ巻き取り弾性部材１３１は、ワイヤ可動端１２２が引っ張り外力を受けた時に、少なくともワイヤ可動端１２２が作業位置に位置するように弾性的に収縮することができ、引っ張り外力が解除された時に、ワイヤ可動端１２２が作業位置から初期位置に復帰するように弾性的に復帰することができる。
【００２８】
光源モジュール２００の取り付けまたは交換の過程において、
まず、ワイヤ可動端１２２に引っ張り外力が加えられ、ワイヤ可動端１２２を初期位置から作業位置に移動させる。
次に、ワイヤ可動端１２２を光源モジュール２００に電気的に接続する。
【００２９】
最後に、引っ張り外力を解除し、光源モジュール２００を取り付け溝１１０１に取り付け、そのうち、ワイヤ巻き取り弾性部材１３１は、ワイヤ可動端１２２が引っ張り外力を受けた時に、少なくともワイヤ可動端１２２が作業位置に位置するように弾性的に収縮することができ、引っ張り外力が解除された時に、ワイヤ可動端１２２が作業位置から初期位置に復帰するように弾性的に復帰することができるため、光源モジュール２００を取り付け溝１１０１に取り付ける過程において、電源コード１２０はワイヤ巻き取り弾性部材１３１の作用下で、電源コード１２０における線通過用穴１１０２からはみ出ている部分のセグメントは、線通過用穴１１０２から復帰され、電源コード１２０における線通過用穴１１０２からはみ出ている部分のセグメントが取り付け溝１１０１内に留まることを回避し、それによって電源コード１２０における線通過用穴１１０２からはみ出ている部分のセグメントがねじって切ったり、保護層が破損したりして、短絡または感電を引き起こすことを回避し、製品の安全性能を向上させる。
【００３０】
図１を参照し、本発明の一態様の実施例において、ワイヤ巻き取り弾性部材１３１は圧縮ばねであり、電源コード１２０に嵌着して設けられ、ワイヤ巻き取り機構１３０は、対向して設けられた第１のワイヤ巻き取り端部１３１１と第２のワイヤ巻き取り端部１３１２を有し、第１のワイヤ巻き取り端部１３１１はマウンティング１１０に当接し、第２のワイヤ巻き取り端部１３１２は電源コード１２０に対して互いに静止して設けられる。圧縮ばねは、構造が簡単で、幅広い範囲の材料を選択でき、プラスチック材料で作られてもよいし、金属材料で作られてもよく、しかも、圧縮ばねはすでに工業規格によって製造された構造部材であるため、製造コストを削減するのに有利である。なお、ここで説明すべきこととして、この構造設計によれば、ワイヤ巻き取り弾性部材１３１は、ワイヤ巻き取り弾性部材１３１の構造サイズを電源コード１２０のサイズと一致させることができ、それによって、ランプホルダー１００の構造全体のサイズを低減するのに有利である。
【００３１】
具体的には、ワイヤ巻き取り弾性部材１３１はリニアばねであり、そのばね力がその変形量に線形的に関連し、電源コード１２０を引っ張る過程において、所望の力の強さが比較的スムーズに増加することが可能である。
もちろん、他の実施例において、ワイヤ巻き取り弾性部材１３１は、スポンジ状構造であってもよく、スポンジ状構造には電源コード１２０を通す配線通路が開設されてもよい。もちろん、スポンジ状構造は、圧縮ばねと比較して、材料の選択が制限され、耐久性も低い。
【００３２】
図５を参照し、本発明の一態様の実施例において、ワイヤ巻き取り接続部材１３２は、両方ともマウンティング１１０に接続された第１の制限部材１３２１および第２の制限部材１３２２を含み、第１の制限部材１３２１には、電源コード１２０を通す第１の制限穴が開設され、第２の制限部材１３２２には、電源コード１２０を通す第２の制限穴が開設され、第１の制限穴のアパーチャおよび第２の制限穴のアパーチャは、いずれもワイヤ巻き取り弾性部材１３１の外環径よりも小さく、第１のワイヤ巻き取り端部１３１１は第１の制限部材１３２１に弾性的に当接し、第２のワイヤ巻き取り端部１３１２は第２の制限部材１３２２に弾性的に当接する。
【００３３】
図１乃至図４を参照し、本発明の一態様の実施例において、ワイヤ巻き取り接続部材１３２は、マウンティング１１０に接続されたワイヤ巻き取りハウジング１３２６をさらに含み、ワイヤ巻き取りハウジング１３２６には、ワイヤ巻き取り弾性部材１３１を収容するための収容室が開設され、ワイヤ巻き取りハウジング１３２６の内壁面は開口壁面を含み、ワイヤ巻き取りハウジング１３２６は、開口壁面に電源コード１２０を通す線通過用穴が開設される。光源モジュール２００の取り付けまたは交換の過程において、電源コード１２０における線通過用穴１１０２からはみ出ている部分のセグメントおよびワイヤ巻き取り弾性部材１３１は、位置が変動することになり、ワイヤ巻き取りハウジング１３２６を設けることによって、電源コード１２０における線通過用穴１１０２からはみ出ている部分のセグメントおよびワイヤ巻き取り弾性部材１３１が変動時に他の位置に移動することが回避されるのに有利である。
【００３４】
さらに、ワイヤ巻き取りハウジング１３２６の内壁面は、対向して設けられた第１の壁面および第２の壁面をさらに含み、第１の壁面と第２の壁面との間の間隔は、ワイヤ巻き取り弾性部材１３１の外環径に等しい。第１の壁面および第２の壁面は、共にワイヤ巻き取り弾性部材１３１の側方撓みを制限し、こうして、電源コード１２０における線通過用穴１１０２からはみ出ている部分のセグメントおよびワイヤ巻き取り弾性部材１３１の位置変動範囲が制限され、電源コード１２０における線通過用穴１１０２からはみ出ている部分のセグメントおよびワイヤ巻き取り弾性部材１３１が変動時に他の位置に移動することがさらに回避されるのに有利である。
【００３５】
さらに、本発明の一態様の実施例において、第１の壁面および第２の壁面は、両方とも開口壁面に対して垂直であり、こうして、ワイヤ巻き取り弾性部材１３１は、変形過程において、ワイヤ巻き取り弾性部材１３１の端部の反力を電源コード１２０に作用させず、開口壁面にのみ作用させることができ、ワイヤ巻き取り弾性部材１３１が電源コード１２０を損傷することを回避する。
【００３６】
図６および図７を参照し、マウンティング１１０は、取り付け溝１１０１の溝底に少なくとも２つの係合溝１１０３が開設され、各係合溝１１０３は互いにずれて配置され、各係合溝１１０３の配置経路は同じ円の円弧経路であり、各係合溝１１０３はいずれも時計回りまたは反時計回りに第１の溝セグメント１１０４と第２の溝セグメント１１０５に順次分割され、マウンティング１１０は、第２の溝セグメント１１０５両側の溝壁に係合ストリップ１１０６が突設される。本発明の一態様の実施例において、２つの係合溝１１０３が設けられ、しかも、２つの係合溝１１０３は、線通過用穴を中心点に対称的に設けられる。
【００３７】
具体的に使用する場合、図８に示すように、光源モジュール２００には、係合溝１１０３と係合する係合構造がさらに接続される必要があり、具体的には、光源モジュール２００に少なくとも２つの係合突起２１０が接続され、各係合突起２１０は、１つの係合溝１１０３にそれぞれ対応して配置され、各係合突起２１０はいずれも光源モジュール２００に接続された接続ロッド２１１および接続ロッド２１１の自由端に接続されたチャック２１２を含み、チャック２１２は、第１の溝セグメント１１０４に挿入することができ、接続ロッド２１１は第１の溝セグメント１１０４から第２の溝セグメント１１０５に摺動することができ、そのうち、チャック２１２が第２の溝セグメント１１０５にある時、第２の溝セグメント１１０５における２つの係合ストリップ１１０６は、共に第２の溝セグメント１１０５からのチャック２１２の取り外しを制限することができる。光源モジュール２００をマウンティングに取り付ける過程において、チャック２１２をそれぞれ１つの第１の溝セグメント１１０４に挿入し、その後、光源モジュール２００を回動させ、接続ロッド２１１をそれぞれ対応する第１の溝セグメント１１０４から対応する第２の溝セグメント１１０５に摺動させ、この時、第２の溝セグメント１１０５における２つの係合ストリップ１１０６は、共に対応する係合突起２１０と係合し、それによって、取り付け溝からの光源モジュール２００の取り外しを制限する。
【００３８】
実施例二
図９を参照し、本実施例は実施例一と異なる点は、ワイヤ巻き取り接続部材１３２は、マウンティング１１０に接続された第１のギア部材１３２３および電源コード１２０に固着的に接続された固定部材１３２４を含み、第１のギア部材１３２３には、電源コード１２０を通す第１のギア穴が開設され、第１のギア穴のアパーチャは、ワイヤ巻き取り弾性部材１３１の外環径よりも小さく、第１のワイヤ巻き取り端部１３１１は第１のギア部材１３２３に弾性的に当接し、第２のワイヤ巻き取り端部１３１２は固定部材１３２４に固着的に接続される点である。こうして、組み立て過程において、ワイヤ巻き取り弾性部材１３１と電源コード１２０とを組み立てた後、ワイヤ巻き取り弾性部材１３１と電源コード１２０は分離されず、組み立て効率を向上させるのに有利である。
【００３９】
図５を参照し、本発明の一態様の実施例において、ワイヤ巻き取り接続部材１３２は、第２のギア部材１３２５をさらに含み、第２のギア部材には、電源コード１２０を通す第２のギア穴が開設され、第２のギア穴のアパーチャは、ワイヤ巻き取り弾性部材１３１の外環径よりも小さい。
【００４０】
実施例三
本発明は、光源モジュール２００およびランプホルダー１００を含むダウンライトをさらに提供し、当該ランプホルダー１００の具体的な構造は、上記実施例を参照し、本ダウンライトは、上記全部実施例のすべての技術的解決手段を採用しているため、上記実施例の技術的解決手段によるすべての有益な効果を同様に有し、ここで重複の説明を省略する。
【００４１】
本発明の別の態様
本発明の別の態様の実施例は、光源モジュールと組み合わせて使用されるランプホルダーを提供し、そのうち、光源モジュールは主にＬＥＤチップを使用して発光する。
図１０乃至図１３を参照し、当該ランプホルダー３００は、マウンティング３１０と、電源コード３２０と、ストロークスイッチ３３０とを備える。
【００４２】
具体的には、マウンティング３１０に取り付け溝３１０１が開設され、取り付け溝３１０１の溝底には、外部に貫通して電源コード３２０を通す線通過用穴が開設される。ここで説明すべきこととして、まず、マウンティング３１０は、プラスチック材料で作られてもよいし、アルミニウム材のような金属材料で作られてもよく、次に、取り付け溝３１０１の溝室は、光源モジュール４００の全体形状に一致することができ、こうして、光源モジュール４００を取り付け溝３１０１に取り付けた後、光源モジュール４００のサイドシフトを制限するための追加の構造が不要となる。
【００４３】
電源コード３２０は、第１の導電線３２１、第２の導電線３２２および第３の導電線３２３を含み、第１の導電線３２１の一端は第２の導電線３２２の一端と共にワイヤ可動端を構成し、第２の導電線３２２の他端と第３の導電線の一端はいずれもストロークスイッチ３３０に電気的に接続するために使用され、第１の導電線３２１の他端は第３の導電線３２３の他端と共にワイヤ固定端を構成する。
【００４４】
ストロークスイッチ３３０はマウンティング３１０に取り付けらけ、光源モジュール４００を取り付け溝３１０１に組み立てた時に、光源モジュール４００によってトリガーされる。
光源モジュール４００の取り付けまたは交換の過程において、
まず、ワイヤ可動端３２０２に引っ張り外力が加えられ、ワイヤ可動端３２０２を初期位置から作業位置に移動させる。
【００４５】
次に、作業者は、ワイヤ可動端３２０２を手動で光源モジュール４００に電気的に接続し、この時、光源モジュール４００はまだ取り付け溝３１０１に組み立てられておらず、ストロークスイッチ３３０はトリガーされず、第２の導電線３２２と第３の導電線３２３は電気的に接続されず、作業者がワイヤ可動端３２０２との接触により感電するのを防ぐ。
【００４６】
最後に、引っ張り外力を解除し、光源モジュール４００を取り付け溝３１０１に取り付ける。
以上から分かるように、本発明の構造設計によれば、光源モジュール４００の取り付けまたは交換の過程において、主電源がオフされていない場合でも、作業者は通電状態で作業する必要がなく、ワイヤ可動端３２０２との接触により感電するのを防ぐことができ、製品の安全性能を向上させ、本発明は、構造が簡単で、操作しやすい。
【００４７】
ここで説明すべきこととして、実際の使用中、ストロークスイッチ３３０は、取り付け溝３１０１内に部分的に配置してもよく、収納溝内に全体的に配置してもよく、ストロークスイッチ３３０の実際の構造に従って設定すればよい。
本発明の別の態様の実施例において、ストロークスイッチ３３０は、光源モジュール４００と取り付け溝３１０１の溝底との間の間隔が通電の間隔以下である場合、光源モジュール４００によって当接されて閉状態にあり、光源モジュール４００と取り付け溝３１０１の溝底との間の間隔が通電の間隔よりも大きい場合、常に開状態にあり、通電の間隔は取り付け溝３１０１の深さよりも小さくなる。
実際の使用中、取り付け溝３１０１の深さに対する通電の間隔の比は、０．１〜０．３である。
【００４８】
図１３を参照し、本発明の別の態様の実施例において、ランプホルダー３００は、光源端電気コネクタ３４０をさらに含み、光源端電気コネクタ３４０はワイヤ可動端３２０２に電気的に接続され、光源端電気コネクタ３４０は光源モジュール４００と嵌合することができ、しかも光源モジュール４００と嵌合された時に光源モジュール４００との電気的接続が実現される。こうして、実際の作業中、作業者は、光源端電気コネクタ３４０を光源モジュール４００に嵌合するだけで、電源コード３２０を光源モジュール４００に電気的に接続することができ、作業過程が簡単かつ迅速である。
【００４９】
図１３を参照し、本発明の別の態様の実施例において、ランプホルダー３００は、電源端電気コネクタ３５０をさらに含み、電源端電気コネクタ３５０はワイヤ固定端に電気的に接続され、電源端電気コネクタ３５０は外部電源と嵌合することができ、しかも外部電源と嵌合された時に外部電源との電気的接続が実現される。こうして、実際の作業中、作業者は、電源端電気コネクタ３５０を外部電源に嵌合するだけで、電源コード３２０を外部電源に電気的に接続することができ、作業過程が簡単かつ迅速である。
【００５０】
本発明の別の態様の実施例において、第１の導電線３２１は、螺旋経路に沿って配置され、弾性を有し、光源モジュール４００と電気的に接続するための第１の螺旋セグメントを有する。第２の導電線３２２は、螺旋経路に沿って配置され、弾性を有し、光源モジュール４００と電気的に接続するための第２の螺旋セグメントを有する。そのうち、第１の螺旋セグメントの弾性復元力および第２の螺旋セグメントの弾性復元力は、共に光源モジュール４００を取り付け溝３１０１外部から光源モジュール４００の少なくとも一部が取り付け溝３１０１に挿入されるまで移動させることができる。実際の使用中、引っ張り外力が解除された後、第１の導電線３２１および第２の導電線３２２の構造特徴に基づいて、第１の導電線３２１および第２の導電線３２２が取り付け溝３１０１内でねじれるのを防止することができる。
【００５１】
さらに、第１の螺旋セグメントの弾性復元力および第２の螺旋セグメントの弾性復元力は、共に光源モジュール４００を取り付け溝３１０１外部から光源モジュール４００と取り付け溝３１０１溝底との間隔が通電の間隔となるまで移動させることができる。実際の使用中、引っ張り外力が解除された後、作業者によって操作されることなく、第１の導電線３２１と第２の導電線３２２によって、光源モジュール４００を取り付け溝３１０１内に概ね組み立てることができ、作業者の作業強度が低減される。
【００５２】
さらに、第１の螺旋セグメントの弾性復元力および第２の螺旋セグメントの弾性復元力は、共に光源モジュール４００を取り付け溝３１０１外部から光源モジュール４００が溝底に当接するまで移動させることができる。実際の使用中、引っ張り外力が解除された後、作業者によって操作されることなく、第１の導電線３２１および第２の導電線３２２によって、光源モジュール４００を取り付け溝３１０１内に組み立てることができ、作業者の作業強度をさらに低減するのに有利である。
【００５３】
図１０乃至図１２を参照し、本発明の別の態様の実施例において、ランプホルダー３００は、取り付け溝３１０１のノッチリムから外向きに延び、徐々に拡大して設けられるランプシェード３７０をさらに含む。
さらに、ランプホルダー３００はランプシェード３７０と一体に構成され、ランプホルダー３００とランプシェード３７０との間の機械的接続強度を向上させることができる。
【００５４】
図６および図７を参照し、マウンティング３１０は、取り付け溝３１０１の溝底に少なくとも２つの係合溝３１０２が開設され、各係合溝３１０２は互いにずれて配置され、各係合溝３１０２の配置経路は同じ円の円弧経路であり、各係合溝３１０２はいずれも時計回りまたは反時計回りに第１の溝セグメント３１０３と第２の溝セグメント３１０４に順次分割され、マウンティング３１０は、第２の溝セグメント３１０４の両側の溝壁に係合ストリップ３１０５が突設される。本発明の別の態様の実施例において、２つの係合溝３１０２が設けられ、しかも、２つの係合溝３１０２は、線通過用穴を中心点に対称的に設けられる。
【００５５】
具体的に使用する場合、図８に示すように、光源モジュール４００には、係合溝３１０２と係合する係合構造がさらに接続される必要があり、具体的には、光源モジュール４００には少なくとも２つの係合突起４１０が接続され、各係合突起４１０は、１つの係合溝３１０２にそれぞれ対応して配置され、各係合突起４１０はいずれも光源モジュール４００に接続された接続ロッド４１１および接続ロッド４１１の自由端に接続されたチャック４１２を含み、チャック４１２は、第１の溝セグメント３１０３に挿入することができ、接続ロッド４１１は、第１の溝セグメント３１０３から第２の溝セグメント３１０４に摺動することができ、そのうち、チャック４１２が第２の溝セグメント３１０４にある時、第２の溝セグメント３１０４における２つの係合ストリップ３１０５は、共に第２の溝セグメント３１０４からのチャック４１２の取り外しを制限することができる。光源モジュール４００をマウンティング３１０に取り付ける過程において、各チャック４１２をそれぞれ１つの第１の溝セグメント３１０３に挿入し、その後、光源モジュール４００を回動させ、接続ロッド４１１をそれぞれ対応する第１の溝セグメント３１０３から対応する第２の溝セグメント３１０４に摺動させ、この時、第２の溝セグメント３１０４における２つの係合ストリップ３１０５は、共に対応する係合突起４１０と係合し、それによって、取り付け溝からの光源モジュール４００の取り外しを制限する。
【００５６】
本発明の別の態様の実施例は、光源モジュールおよびランプホルダーを含むダウンライトをさらに提供し、当該ランプホルダーの具体的な構造は、本出願の別の態様の上記実施例を参照し、本ダウンライトは、本出願の別の態様の上記した全部実施例のすべての技術的解決手段を採用しているため、本出願の別の態様の上記実施例の技術的解決手段によるすべての有益な効果を同様に有し、ここで重複の説明を省略する。
【００５７】
上記は本発明の好適な実施例に過ぎず、本発明を限定するためのものではなく、本発明の精神および原則の範疇においてなされたあらゆる修正、等価置換及び改良などは、本発明の保護範囲に含まれるはずである。
【符号の説明】
【００５８】
１００  ランプホルダー
１１０  マウンティング
１１０１  取り付け溝
１１０２  線通過用穴
１１０３  係合溝
１１０４  第１の溝セグメント
１１０５  第２の溝セグメント
１１０６  係合ストリップ
１２０  電源コード
１２１  ワイヤ固定端
１２２  ワイヤ可動端
１３０  ワイヤ巻き取り機構
１３１  ワイヤ巻き取り弾性部材
１３１１  第１のワイヤ巻き取り端部
１３１２  第２のワイヤ巻き取り端部
１３２  ワイヤ巻き取り接続部材
１３２１  第１の制限部材
１３２２  第２の制限部材
１３２３  第１のギア部材
１３２４  固定部材
１３２５  第２のギア部材
１３２６  ワイヤ巻き取りハウジング
２００  光源モジュール
２１０  係合突起
２１１  接続ロッド
２１２  チャック
３００  ランプホルダー
３１０  マウンティング
３１０１  取り付け溝
３１０２  係合溝
３１０３  第１の溝セグメント
３１０４  第２の溝セグメント
３１０５  係合ストリップ
３２０  電源コード
３２０２  ワイヤ可動端
３２１  第１の導電線
３２２  第２の導電線
３２３  第３の導電線
３３０  ストロークスイッチ
３４０  光源端電気コネクタ
３５０  電源端電気コネクタ
３６０  回転係合構造
３７０  ランプシェード
４００  光源モジュール
４１０  係合突起
４１１  接続ロッド
４１２  チャック
【図１】
0006893969.tif 000002
【図２】
0006893969.tif 000003
【図３】
0006893969.tif 000004
【図４】
0006893969.tif 000005
【図５】
0006893969.tif 000006
【図６】
0006893969.tif 000007
【図７】
0006893969.tif 000008
【図８】
0006893969.tif 000009
【図９】
0006893969.tif 000010
【図１０】
0006893969.tif 000011
【図１１】
0006893969.tif 000012
【図１２】
0006893969.tif 000013
【図１３】
0006893969.tif 000014